【手続補正書】
【提出日】平成26年10月31日(2014.10.31)
【手続補正１】
【補正対象書類名】特許請求の範囲
【補正対象項目名】全文
【補正方法】変更
【補正の内容】
【特許請求の範囲】
【請求項１】
人に装着されるように構成されたウェアラブルな装置であって、
第１端部と第２端部を有するハウジングと、
前記ハウジングに支持されるとともに、センサを有するコントローラと、
前記ハウジングに支持されたディスプレイと、
前記ハウジングに支持された標識システムとを備え、
前記第１端部は、前記第２端部と解除可能に係合可能とされており、
前記センサは、前記コントローラと動作可能に接続されて前記人の活動を検出し、
前記ディスプレイは、前記コントローラと動作可能に接続され、
前記標識システムは、前記コントローラと動作可能に接続されるとともに、前記人の活動レベルを示すために発光可能である、装置。
【請求項２】
前記ディスプレイと前記標識システムは、発光可能な発光部材群を備える、請求項１に記載の装置。
【請求項３】
前記発光部材群の少なくとも１つは、異なる色を呈することが可能である、請求項２に記載の装置。
【請求項４】
前記標識システムの前記発光可能な発光部材群は、少なくとも赤色、黄色、および緑色を呈することが可能である、請求項２に記載の装置。
【請求項５】
前記ディスプレイは、前記ハウジングにおける中央部の近傍に配置され、前記標識システムは、前記中央部の近傍かつ前記ディスプレイに隣接して配置されている、請求項１に
記載の装置。
【請求項６】
前記ハウジングは、面取りされた縁部を有し、前記標識システムは、前記縁部に配置されている、請求項５に記載の装置。
【請求項７】
前記標識システムは、ほぼ直線的に配列された発光部材群を有する、請求項６に記載の装置。
【請求項８】
前記ディスプレイは、第１方向に光を投射し、前記標識システムは、前記第１方向とは異なる第２方向に光を投射する、請求項１に記載の装置。
【請求項９】
前記システムは、第１セグメントと第２セグメントを有し、
前記第１セグメントは、前記センサにより検知された前記人の活動レベルに基づいて発光可能であり、
前記コントローラは、第２の人の活動レベルに係る情報を受信可能であり、
前記第２セグメントは、前記第２の人の活動レベルに基づいて発光可能である、請求項１に記載の装置。
【請求項１０】
前記標識システムは、第１発光部材群と第２発光部材群を備え、
前記第１発光部材群は、前記ハウジングの一方の側に配置され、前記第２発光部材群は、前記ハウジングの反対側に配置されている、請求項１に記載の装置。
【請求項１１】
前記ハウジングは、前記コントローラ、前記ディスプレイ、および前記標識システムを支持するインナースパイン部材を有し、
前記ハウジングは、前記インナースパイン部材、前記コントローラ、前記ディスプレイ、および前記標識システムの周囲に配置されたエラストマ部材をさらに有する、請求項１
に記載の装置。
【請求項１２】
前記ハウジングは、インナースパイン部材を有し、
前記インナースパイン部材は、少なくとも１つのほぼ非可撓性の部分と少なくとも１つの可撓性の領域を有し、
前記非可撓性の部分は、前記可撓性の領域を中心に回動可能である、請求項１に記載の装置。
【請求項１３】
前記非可撓性の部分は、ほぼ非可撓性の中央部、ほぼ非可撓性の第１セグメント、およびほぼ非可撓性の第２セグメントを有し、
前記可撓性の領域は、第１可撓性領域と第２可撓性領域を有し、
前記第１可撓性領域は、前記中央部の第１端部と前記第１セグメントを接続し、前記第２可撓性領域は、前記中央部の第２端部と前記第２セグメントを接続している、請求項１
２に記載の装置。
【請求項１４】
前記中央部、前記第１セグメント、および前記第２セグメントは、第１の厚みをなし、前記可撓性の領域は、前記第１の厚みよりも薄い第２の厚みをなす、請求項１３に記載の
装置。
【請求項１５】
前記第１可撓性領域と前記第２可撓性領域は、凹んだ形状をしている、請求項１３に記載の装置。
【請求項１６】
前記第１可撓性領域と前記第２可撓性領域は、凹んだ形状をしており、各凹み形状の基部は、当該凹み形状の残りの部分よりも肉薄とされている、請求項１３に記載の装置。
【請求項１７】
前記コントローラは、前記インナースパイン部材の長手方向に沿って接続されたフレキシブル回路部材を有し、
前記ディスプレイと前記標識システムは、前記フレキシブル回路部材と動作可能に接続されている、請求項１３に記載の装置。
【請求項１８】
前記ハウジングは、前記コントローラ、前記ディスプレイ、および前記標識システム周囲に配置された外装部材をさらに備える、請求項１３に記載の装置。
【請求項１９】
前記外装部材は、ポリマー材料である、請求項１８に記載の装置。
【請求項２０】
前記外装部材は、熱可塑性エラストマ部材である、請求項１８に記載の装置。
【請求項２１】
前記ディスプレイと前記標識システムは、発光時において前記ハウジングを通して視認可能である、請求項１に記載の装置。
【請求項２２】
前記ハウジングは、ほぼ環状の形状を有し、ユーザの腕に装着する寸法とされている、請求項１に記載の装置。
【請求項２３】
前記ハウジングは、インナースパイン部材、および当該インナースパイン部材の周囲に配置された熱可塑のエラストマ部材を備え、
前記コントローラ、前記ディスプレイ、および前記標識システムは、前記エラストマ部材に収容されている、請求項１に記載の装置。
【請求項２４】
前記ハウジングは前記コントローラと動作可能に接続された入力ボタンをさらに有し、  前記入力ボタンは、可撓性のキャップと一体に接続された非可撓性の基部を有し、
前記エラストマ部材は、前記非可撓性の基部の周縁に当接している、請求項２３に記載の装置。
【請求項２５】
前記ハウジングは、収容凹部を有するインナースパイン部材を備え、
前記コントローラは、前記収容凹部内に配置されて前記コントローラと動作可能に接続されたバッテリを有する、請求項１に記載の装置。
【請求項２６】
前記収容凹部は、チキソ成形された部材、および当該チキソ成形された部材を覆うように配置された金属製の筐体からなる、請求項２５に記載の装置。
【請求項２７】
前記収容凹部は、金属製の筐体を備える、請求項２５に記載の装置。
【請求項２８】
前記第１セグメントは、曲線をなす形状を有するとともに、第１収容凹部を区画し、
前記第２セグメントは、曲線をなす形状を有するとともに、第２収容凹部を区画し、
前記第１収容凹部は、チキソ成形された部材と第１金属筐体部材からなり、
前記チキソ成形された部材は、前記コントローラに接続された湾曲形状を有する第１バッテリを受容し、前記第１金属筐体部材は、当該第１バッテリを覆うように配置されてお
り、
前記第２収容凹部は、チキソ成形された部材と第２金属筐体部材からなり、
前記チキソ成形された部材は、前記コントローラに接続された湾曲形状を有する第２バッテリを受容し、前記第２金属筐体部材は、当該第２バッテリを覆うように配置されてい
る、請求項１３に記載の装置。
【請求項２９】
前記第１収容凹部は開口を有し、
前記第１バッテリは、前記開口内に配置されるとともに前記コントローラに接続された接点群を支持する第１弾性部材を有し、
前記第２収容凹部は開口を有し、
前記第２バッテリは、前記開口内に配置されるとともに前記コントローラに接続された接点群を支持する第２弾性部材を有する、請求項２８に記載の装置。
【請求項３０】
突出部材が前記第１端部に接続され、受け部材が前記第２端部に接続されており、
前記突出部材は、前記コントローラと動作可能に接続されたＵＳＢコネクタを有し、
前記ＵＳＢコネクタは、前記受け部材と解除可能に係合している、請求項１に記載の装置。
【請求項３１】
前記ＵＳＢコネクタは、第１の側にリード群を有するとともに、当該第１の側と反対側の第２の側に凹部を有し、
前記受け部材は、開口を区画するとともに、指部を回動可能に支持しており、
係止位置においては、前記ＵＳＢコネクタが前記受け部材に受容されるとともに、前記指部が前記凹部に受容され、
係止解除位置においては、前記指部が前記ＵＳＢコネクタから離れるように回動し、前記ＵＳＢコネクタが前記受け部材から取り外し可能とされる、請求項３０に記載の装置。
【請求項３２】
前記凹部は係合面を形成し、前記係止位置において、前記指部は前記係合面に接触する、請求項３１に記載の装置。
【請求項３３】
前記第１端部は、前記コントローラと動作可能に接続されたＵＳＢコネクタを有する、請求項１に記載の装置。
【請求項３４】
前記ハウジングの前記第２端部と前記受け部材の間に接続された拡張部材を備える、請求項３０に記載の装置。
【請求項３５】
前記拡張部材は、一端が前記ハウジングの前記第２端部に接続された本体を有し、
前記拡張部材は、前記本体に支持された回転爪をさらに有し、
前記回転爪は、カム面を有し、
前記受け部材は、カム面を有する突起とスロットを備え、
前記突起が前記拡張部材の前記本体に挿入されると、それぞれの前記カム面が前記回転爪を回転させ、前記突起が前記本体にさらに挿入されると、前記回転爪は前記スロットに
受容され、前記拡張部材は前記受け部材に装着される、請求項３４に記載の装置。
【請求項３６】
前記ＵＳＢコネクタは、等間隔で並ぶリード群を有する非可撓性の本体を備える、請求項３０に記載の装置。
【請求項３７】
前記ＵＳＢコネクタは、上面を形成する非可撓性の本体、および当該上面から後退した位置に配置されたリード群を有し、
前記リード群の各々は、前記上面の近傍まで盛り上がったリブを有する、請求項３０に記載の装置。
【請求項３８】
前記コントローラは、ユーザによる所定量の活動の検出に応答して前記標識システムを発光させるように構成されている、請求項１に記載の装置。
【請求項３９】
前記コントローラは、ユーザによる所定量の低活動の検出に応答して前記標識システムを発光させるように構成されている、請求項１に記載の装置。
【請求項４０】
前記センサは、速度、距離、歩数、ユーザにより消費されたエネルギーの少なくとも１つを提供するために活動を検出可能な３軸加速度計である、請求項１に記載の装置。
【請求項４１】
前記コントローラは、モバイル装置にメッセージの表示を行なう標識を提供するように構成されている、請求項１に記載の装置。
【請求項４２】
前記コントローラは、活動目標を含み、
前記標識システムは、セグメント群を有し、
前記セグメント群の各々は、前記活動目標へ向かう指定された量の進捗を表す、請求項１に記載の装置。
【請求項４３】
前記進捗は、その量に基づいてコード化された色で表示される、請求項４２に記載の装置。
【請求項４４】
前記コントローラは、無線通信用に構成されている、請求項１に記載の装置。
【請求項４５】
前記ハウジングの前記第１端部は、前記コントローラと動作可能に接続されたデータ転送部材を有する、請求項１に記載の装置。
【請求項４６】
前記ディスプレイは、発光時に前記ハウジングを通して視認可能である、請求項１に記載の装置。
【請求項４７】
前記標識システムは、発光時に前記ハウジングを通して視認可能である、請求項１に記載の装置。
【請求項４８】
前記ディスプレイは、発光時のみ前記ハウジングを通して視認可能である、請求項１に記載の装置。
【請求項４９】
前記標識システムは、発光時のみ前記ハウジングを通して視認可能である、請求項１に記載の装置。
【請求項５０】
人に装着されるように構成されたウェアラブルな装置であって、
第１端部と第２端部を有するハウジングと、
前記ハウジングに支持されるとともに、加速度計を有するコントローラと、
前記ハウジングに支持されたディスプレイと、
前記ハウジングに支持された標識システムとを備え、
前記第１端部は、前記第２端部と解除可能に係合可能とされており、
前記加速度計は、前記コントローラと動作可能に接続されて前記人の活動を検出し、
前記ディスプレイは、前記コントローラと動作可能に接続され、
前記標識システムは、前記コントローラと動作可能に接続され、前記人の活動レベルを示すように発光可能である、装置。
【請求項５１】
ウェアラブルな装置であって、
人に装着されるように構成されたハウジングを備え、
前記ハウジングは、その内部にコントローラを支持しており、
前記コントローラは、前記人の活動を検出可能なセンサを有し、
前記ハウジングは、前記コントローラと動作可能に接続された発光部を有し、
前記発光部は、前記センサにより検知された活動のレベルに基づいて発光する、装置。
【請求項５２】
人に装着されるように構成されたウェアラブルな装置であって、
インナースパイン部材を有するハウジングと、
前記インナースパイン部材と接続されるとともに、センサを有するコントローラとを備え、
前記インナースパイン部材は、ほぼ非可撓性の中央部、ほぼ非可撓性の第１セグメント、ほぼ非可撓性の第２セグメント、第１可撓性部材、第２可撓性部材、およびエラストマ
部材を有し、
前記中央部の一端と前記第１セグメントが前記第１可撓性部材により接続され、前記中央部の他端と前記第２セグメントが前記第２可撓性部材により接続されることにより、前
記第１セグメントと前記第２セグメントが前記中央部に対して可撓とされ、
前記エラストマ部材は、前記インナースパイン部材の周囲に配置されており、
前記センサは、前記コントローラと連携動作可能であり、前記人の活動を検出する、装置。
【請求項５３】
人に装着されるように構成されたウェアラブルな装置であって、
第１端部、第２端部、およびインナースパイン部材を有するハウジングと、
前記ハウジングに支持されるとともに、センサを有するコントローラと、
前記ハウジングに支持されたディスプレイとを備え、
前記第１端部は、前記第２端部と解除可能に係合可能とされており、
前記インナースパイン部材は、少なくとも１つのほぼ非可撓性の部分と少なくとも１つの可撓性の領域を有し、
前記非可撓性の部分は、前記可撓性の領域を中心に回動可能であり、
前記センサは、前記コントローラと連携動作可能とされて前記人の活動を検出し、
前記ディスプレイは、前記コントローラと動作可能に接続されるとともに、前記人の活動に係る標識を表示するように構成されている、装置。
【請求項５４】
人に装着されるように構成されたウェアラブルな装置であって、
第１端部と第２端部を有し、これらの端部の間がほぼ曲線をなすように延びているインナースパイン部材と、
フレキシブル回路部材とセンサを有するコントローラと、
前記フレキシブル回路に接続されたディスプレイと、
前記コントローラ、前記ディスプレイ、および前記インナースパイン部材を覆うように設置された熱可塑性エラストマ部材とを備え、
前記第１端部は、前記第２端部と解除可能に係合可能とされており、
前記フレキシブル回路は、前記インナースパイン部材の長手方向に沿って装着され、
前記センサは、前記コントローラと連携動作可能とされて前記人の活動を検出し、
前記ディスプレイは、前記人の活動レベルを示すために発光可能であり、発光時において、前記熱可塑性エラストマ部材を通して視認可能である、装置。
【請求項５５】
人に装着されるように構成されたウェアラブルな装置であって、
第１端部、第２端部、およびこれらの間に位置する中間部を有するハウジングと、
前記ハウジングに支持されるとともに、センサを有するコントローラと、
前記ハウジングに支持されたディスプレイと、
前記第１端部に接続された突出部材と、
前記第２端部に接続されるとともに、前記突出部材と解除可能に係合可能である受け部材とを備え、
前記第１端部は、前記第２端部と解除可能に係合可能とされており、
前記センサは、前記コントローラと連携動作可能とされて前記人の活動を検出し、
前記ディスプレイは、前記コントローラと動作可能に接続されるとともに、前記人の活動レベルを示すために発光可能であり、
前記突出部材は、前記コントローラと動作可能に接続されたＵＳＢコネクタを有し、
前記ＵＳＢコネクタは、第１の側にリード群を有するとともに、当該第１の側と反対側の第２の側に凹部を有し、
前記受け部材は、開口を区画するとともに、指部を回動可能に支持しており、
係止位置においては、前記ＵＳＢコネクタが前記受け部材に受容されるとともに、前記指部が前記凹部に受容され、
係止解除位置においては、前記指部が前記ＵＳＢコネクタから離れるように回動し、前記ＵＳＢコネクタが前記受け部材から取り外し可能とされる、装置。
【請求項５６】
人に装着されるように構成され、第１端部、第２端部、ならびに当該人の活動を検出するように構成されたコントローラおよびセンサを有するウェアラブルな装置の締結機構で
あって、
前記第１端部に接続されるように構成された突出部材と、
前記第２端部に接続されるように構成されるとともに、前記突出部材と解除可能に係合可能である受け部材とを備え、
前記突出部材は、前記コントローラと動作可能に接続されたＵＳＢコネクタを有し、
前記ＵＳＢコネクタは、第１の側にリード群を有するとともに、当該第１の側と反対側の第２の側に凹部を有し、
前記受け部材は、開口を区画するとともに、指部を回動可能に支持しており、
係止位置においては、前記ＵＳＢコネクタが前記受け部材に受容されるとともに、前記指部が前記凹部に受容され、
係止解除位置においては、前記指部が前記ＵＳＢコネクタから離れるように回動し、前記ＵＳＢコネクタが前記受け部材から取り外し可能とされる、装置。
【請求項５７】
人に装着されるように構成されたウェアラブルな装置であって、
インナースパイン部材を有するハウジングと、
曲線をなす形状の第１バッテリと、
曲線をなす形状の第２バッテリと、
前記インナースパイン部材と接続されたコントローラと、
前記ハウジングに支持されたディスプレイとを備え、
前記インナースパイン部材は、第１端部、第２端部、およびこれらの間に位置する中間部を有し、
前記中間部は、中央部、第１セグメント、および第２セグメントを有し、
前記第１セグメントは、前記中央部に接続されるとともに、曲線をなす形状を有し、
前記第２セグメントは、前記中央部に接続されるとともに、曲線をなす形状を有し、
前記第１セグメントは、第１収容凹部を区画し、
前記第２セグメントは、第２収容凹部を区画し、
前記第１バッテリは、前記第１収容凹部内に配置され、
前記第２バッテリは、前記第２収容凹部内に配置され、
前記コントローラは、前記第１バッテリおよび前記第２バッテリと動作可能に接続されており、
前記センサは、前記コントローラと連携動作可能とされて前記人の活動を検出し、
前記ディスプレイは、前記コントローラと動作可能に接続されるとともに、前記人に活動に係る標識を表示するように構成されている、装置。
【請求項５８】
人に装着されるように構成されたリストバンドを備えるウェアラブルな装置であって、  前記リストバンドは、内部にコントローラを支持しており、
前記リストバンドは、前記人の活動を検知可能なセンサを有し、
前記リストバンドは、前記コントローラと動作可能に接続された標識システムをさらに有し、
前記標識システムは、第１セグメントと第２セグメントを有し、
前記第１セグメントは、前記センサにより検知された前記人の活動のレベルに基づいて発光可能であり、
前記コントローラは、第２の人の活動レベルに係る情報を受信可能であり、
前記第２セグメントは、前記第２の人の活動レベルに基づいて発光可能である、装置。
【請求項５９】
人に装着されるように構成されたウェアラブルな装置アセンブリであって、
第１端部、第２端部、およびこれらに間に位置する中間部を有するとともに、ほぼ曲線をなす形状を有するスパイン部材と、
前記スパイン部材の長手方向に沿って装着された可撓性の回路部材、および３軸加速度計を有するコントローラと、
前記回路部材に接続されるとともに、前記スパイン部材の中央部近傍に配置されたディスプレイと、
前記回路部材に接続されるとともに、前記ディスプレイに隣接して配置された標識システムと、
前記ディスプレイに隣接して配置されるとともに、前記回路部材と動作可能に接続された入力ボタンと、
前記入力ボタンの周縁と係合するとともに、前記スパイン部材、前記コントローラ、前記ディスプレイ、および前記標識システムのの周囲に配置された熱可塑性のエラストマ部
材と、
第１バッテリと、
第１金属蓋部材と、
第２バッテリと、
第２金属蓋部材と、
突出部材と受け部材を有する締結機構とを備え、
前記スパイン部材は、ほぼ非可撓性の中央部、ほぼ非可撓性の第１セグメント、およびほぼ非可撓性の第２セグメントを有し、
前記第１セグメントは、凹んだ形状を有する第１可撓部により前記中央部の一端に接続されており、
前記第２セグメントは、凹んだ形状を有する第２可撓部により前記中央部の他端に接続されており、
前記第１セグメントは、チキソ成形された部材を備える第１収容凹部を区画し、
前記第２セグメントは、チキソ成形された部材を備える第２収容凹部を区画し、
前記３軸加速度計は、ユーザの活動レベルを検出するために前記コントローラと連携動作可能であり、
前記標識システムは、前記３軸加速度計により検知された前記ユーザの活動レベルに基づいて発光可能であり、
前記エラストマ部材は、前記第１収容凹部と連通する第１開口、および前記第２収容凹部と連通する第２開口を有し、
前記第１バッテリは、前記第１収容凹部内に配置されて前記コントローラと動作可能に接続されており、
前記第２バッテリは、前記第２収容凹部内に配置されて前記コントローラと動作可能に接続されており、
前記第１金属蓋部材は、前記第１バッテリを覆うように配置されるとともに、前記スパイン部材に接続されており、
前記第２金属蓋部材は、前記第２バッテリを覆うように配置されるとともに、前記スパイン部材に接続されており、
前記突出部材は、前記スパイン部材の前記第１端部に接続されるとともに、前記コントローラと動作可能に接続されたＵＳＢコネクタを備え、
前記ＵＳＢコネクタは、第１の側にリード群を有するとともに、当該第１の側と反対側の第２の側に凹部を有し、
前記受け部材は、前記スパイン部材の前記第２端部に接続されるとともに、回動可能な指部を有し、
前記ＵＳＢコネクタが前記受け部材に挿入されると、前記指部は、前記凹部内に受容される、装置アセンブリ。